(57)【特許請求の範囲】
【請求項１】
スイッチング素子を含む高周波電源回路から共振回路を介して負荷回路に高周波電力を供給する電源装置であって、上記共振回路はプリント基板に実装され、上記高周波電源回路の出力端から上記共振回路までの部位で接地線を除いた電路である第１の電路として用いられる回路パターンを接地線となる接地パターンに近い位置に配線し、上記共振回路と共振回路から負荷回路に向かう経路とを含む部位で接地線を除いた電路である第２の電路として用いられる回路パターンを接地パターンから遠い位置に配線し、接地パターンは、第２の電路に用いる回路パターンの両側において上記回路パターンの負荷回路が接続される一端側が開放される形に上記回路パターンに沿って延長されていることを特徴とする電源装置。
【請求項２】
上記共振回路は両面プリント基板に実装され、両面プリント基板の一面に形成される回路パターンが上記第１の電路に用いられ、第１の電路として用いる回路パターンは両面プリント基板の他面に形成されている接地パターンと対向する部分を有することを特徴とする請求項１記載の電源装置。
【請求項３】
上記共振回路は片面プリント基板に実装され、第１の電路に用いる回路パターンの両側に近接して接地パターンが形成されていることを特徴とする請求項１記載の電源装置。
【請求項４】
上記共振回路は、空芯コイルよりなるインダクタを含むことを特徴とする請求項１ないし請求項３のいずれかに記載の電源装置。
【請求項５】
上記負荷回路は無電極放電灯を含むことを特徴とする請求項１ないし請求項４のいずれかに記載の電源装置。
【請求項６】
上記負荷回路は、上記無電極放電灯への電力供給経路に挿入された電力供給用コイルを含むことを特徴とする請求項５記載の電源装置。
【請求項７】
上記負荷回路は、上記共振回路と負荷との間に挿入されたマッチング回路を含むことを特徴とする請求項１ないし請求項６のいずれかに記載の電源装置。
【請求項８】
上記マッチング回路は、上記高周波電源回路とは別のプリント基板に実装されていることを特徴とする請求項７記載の電源装置。
【請求項９】
上記マッチング回路は両面プリント基板に実装され、マッチング回路において接地線を除く回路パターンが形成されている部位における両面プリント基板の他面には接地パターンが形成されていないことを特徴とする請求項７または請求項８記載の電源装置。
【請求項１０】
スイッチング素子を含む高周波電源回路と、高周波電源回路の出力端に接続された共振回路と、放電ガスが封入されたバルブおよびバルブの内部空間に高周波電磁界を形成する励起コイルよりなる無電極放電灯と、共振回路と励起コイルとの間に挿入されたマッチング回路とを備え、少なくとも高周波電源回路と共振回路とは両面プリント基板に実装され、両面プリント基板の一面に形成される回路パターンにより高周波電源回路と共振回路との間が接続され、この回路パターンは両面プリント基板の他面に形成された接地パターンと対向する部分を有し、接地パターンは、上記共振回路から励起コイルに向かう経路を含む部位で接地線を除いた電路に用いる回路パターンの両側において上記回路パターンの励起コイルが接続される一端側が開放される形に上記回路パターンに沿って延長されていることを特徴とする電源装置。
【発明の詳細な説明】
【０００１】
【発明の属する技術分野】
本発明は、高周波電力を負荷に供給する電源装置に関するものである。
【０００２】
【従来の技術】
一般に、電源装置では動作周波数が高くなるにつれて負荷回路の特性の変動などの影響を受けやすくなり、回路動作を安定させることが難しくなってくる。また、電源装置からのノイズの発生量が増加するから、回路動作に影響を与え、外部回路にも誤動作などの影響を与えるという問題が生じる。
【０００３】
この種の問題を解決する電源装置としては、特開平９−３０６６８２号公報に記載されたものがある。この電源装置は、図１７および図１８に示すように、高周波の発振を行う発振回路２１と、発振回路２１の発振出力を増幅する前段増幅回路２２および中段増幅回路２３と、フィルタ回路２４とを備える。
【０００４】
発振回路２１は、水晶振動子ＸとトランジスタＱ３とを用いて高周波の発振を行うものであり、コイルＬ６およびコンデンサＣ１５により低Ｑの同調回路を構成しており、無調整の発振器となっている。前段増幅回路２２は、発振回路２１の発振出力をトランジスタＱ４により増幅するものであり、コイルＬ５およびコンデンサＣ１７により発振回路２１の発振周波数に同調するように構成している。また、抵抗Ｒ８〜Ｒ１０は減衰器を構成している。
【０００５】
中段増幅回路２３は、電力用ＭＯＳＦＥＴ（以下では、トランジスタと呼ぶ）Ｑ５により前段増幅回路２２の出力をさらに増幅するものである。コイルＬ７はトランジスタＱ５の入力キャパシタンスを打ち消すために挿入してあり、抵抗Ｒ１２はトランジスタＱ５の入力インピーダンスを前段増幅回路２２の出力と整合させるために挿入してある。また、コイルＬ４とコンデンサＣ１８とにより発振回路２１の発振周波数に同調させている。フィルタ回路２４は、コイルＬ３とコンデンサＣ９とにより構成され、高周波が直流電源２６（図１８参照）に帰還することを防いでいる。図１８における直流電源２６はフィルタ回路２４を含むものとして示してある。
【０００６】
図１７に示す回路のうち前段増幅回路２２と中段増幅回路２３とを実装したプリント基板１０を図１８に示す。図中において中段増幅回路２３の出力端には中段増幅回路２３の出力をさらに増幅する終段増幅回路２５が接続されている。図１８に示すプリント基板１０においては、接地パターンＧが前段増幅回路２２と中段増幅回路２３とをそれぞれ全周にわたって囲む形で形成されている。したがって、接地パターンＧのシールド効果により、前段増幅回路２２と中段増幅回路２３とにそれぞれ流れる共振電流が他の回路に影響を及ぼすのを防止することができ、結果的に共振電流の回り込みによる発振などが生じることがなく、回路動作が安定することになる。
【０００７】
【発明が解決しようとする課題】
上述した従来構成のように、不要な高周波の回り込みや輻射を防止するには、対象となる回路の周囲を導体で囲むとともに、その導体を接地する構成が一般的である。しかしながら、回路を接地された導体で全周にわたって囲むと、回路の構成部品の配置に制約が多くなり、部品配置の設計が難しくなるという問題が生じる。とくに、プリント基板に回路部品を実装する際には対象となる回路を接地パターンで囲む構成を採用すると、接地パターンを除く回路パターンの引き回しが複雑になるから、回路パターンの設計が難しくなる。
【０００８】
本発明は上記事由に鑑みてなされたものであり、その目的は、ノイズを低減させるシールド効果を持たせながらも部品配置の設計が容易な電源装置を提供することにある。
【０００９】
【課題を解決するための手段】
請求項１の発明は、スイッチング素子を含む高周波電源回路から共振回路を介して負荷回路に高周波電力を供給する電源装置であって、上記共振回路はプリント基板に実装され、上記高周波電源回路の出力端から上記共振回路までの部位で接地線を除いた電路である第１の電路として用いられる回路パターンを接地線となる接地パターンに近い位置に配線し、上記共振回路と共振回路から負荷回路に向かう経路とを含む部位で接地線を除いた電路である第２の電路として用いられる回路パターンを接地パターンから遠い位置に配線し、接地パターンは、第２の電路に用いる回路パターンの両側において上記回路パターンの負荷回路が接続される一端側が開放される形に上記回路パターンに沿って延長されているものである。
【００１０】
請求項２の発明は、請求項１の発明において、上記共振回路が両面プリント基板に実装され、両面プリント基板の一面に形成される回路パターンが上記第１の電路に用いられ、第１の電路として用いる回路パターンは両面プリント基板の他面に形成されている接地パターンと対向する部分を有するものである。
【００１１】
請求項３の発明は、請求項１の発明において、上記共振回路が片面プリント基板に実装され、第１の電路に用いる回路パターンの両側に近接して接地パターンが形成されているものである。
【００１２】
請求項４の発明は、請求項１ないし請求項３の発明において、上記共振回路が、空芯コイルよりなるインダクタを含むものである。
【００１３】
請求項５の発明は、請求項１ないし請求項４の発明において、上記負荷回路が無電極放電灯を含むものである。
【００１４】
請求項６の発明は、請求項５の発明において、上記負荷回路が、上記無電極放電灯への電力供給経路に挿入された電力供給用コイルを含むものである。
【００１５】
請求項７の発明は、請求項１ないし請求項６の発明において、上記負荷回路が、上記共振回路と負荷との間に挿入されたマッチング回路を含むものである。
【００１６】
請求項８の発明は、請求項７の発明において、上記マッチング回路が、上記高周波電源回路とは別のプリント基板に実装されているものである。
【００１７】
請求項９の発明は、請求項７または請求項８の発明において、上記マッチング回路が両面プリント基板に実装され、マッチング回路において接地線を除く回路パターンが形成されている部位における両面プリント基板の他面には接地パターンが形成されていないものである。
【００１８】
請求項１０の発明は、スイッチング素子を含む高周波電源回路と、高周波電源回路の出力端に接続された共振回路と、放電ガスが封入されたバルブおよびバルブの内部空間に高周波電磁界を形成する励起コイルよりなる無電極放電灯と、共振回路と励起コイルとの間に挿入されたマッチング回路とを備え、少なくとも高周波電源回路と共振回路とは両面プリント基板に実装され、両面プリント基板の一面に形成される回路パターンにより高周波電源回路と共振回路との間が接続され、この回路パターンは両面プリント基板の他面に形成された接地パターンと対向する部分を有し、接地パターンは、上記共振回路から励起コイルに向かう経路を含む部位で接地線を除いた電路に用いる回路パターンの両側において上記回路パターンの励起コイルが接続される一端側が開放される形に上記回路パターンに沿って延長されているものである。
【００１９】
【発明の実施の形態】
以下、本発明の実施の形態を図面に基づいて説明する。
【００２０】
（実施形態１）
本実施形態は、図１および図２に示すように、高周波電源回路１から出力された高周波電力が共振回路２を介して負荷回路３に供給される電源装置において、共振回路２と負荷回路３の一部であるマッチング回路４とを両面プリント基板１０ａに実装したものである。
【００２１】
図１（ａ）に示すように、共振回路２はインダクタＬｒ１とコンデンサＣｒ１との直列回路からなり、高周波電源回路１の出力端と負荷回路４との間に挿入される。高周波電源回路１と負荷回路４との接地線ＧＲは共通であり、共振回路２は接地線ＧＲではないほうの電路（以下では電力線と呼ぶ）に挿入される。高周波電源回路１はスイッチング素子を用いて高周波電力を生成する回路であって、共振回路２を通すことにより高調波成分が低減される。
【００２２】
負荷回路３はマッチング回路４と負荷としての無電極放電灯とを含む。無電極放電灯は、放電ガスが封入されたバルブＬＰと、バルブＬＰに近接して配置されている誘起コイルＬｐ１とを備え、マッチング回路４を通して誘起コイルＬｐ１に高周波電流を流すことにより、誘起コイルＬｐ１の周囲に形成される高周波電磁界をバルブＬＰの内部空間に作用させる。したがって、放電ガスが高周波電磁界により励起・電離されて発光する。
【００２３】
マッチング回路４は、電力線に挿入されたコンデンサＣｍ２と、コンデンサＣｍ２の両端において電力線と接地線ＧＲとの間に接続された２個のコンデンサＣｍ１，Ｃｍ３とを備える。無電極放電灯はインピーダンスの変化が大きいから、マッチング回路４を用いることにより前段側とのインピーダンスを整合させるのである。
【００２４】
以下では、電力線について、高周波電源回路１の出力端から共振回路２までの部位を第１の電路ＰＲ１と呼び、共振回路２と負荷回路４とのうち無電極放電灯を除く部位を第２の電路ＰＲ２と呼ぶ。
【００２５】
本実施形態では、図１（ａ）の回路のうち共振回路２とマッチング回路４とを両面プリント基板１０ａに実装しているのであって、図２に示すように、両面プリント基板１０ａの一面に接地線ＧＲとなる接地パターンＧおよび第２の電路ＰＲ２として用いられる回路パターンＰ２が形成され、他面には第１の電路ＰＲ１として用いられる回路パターンＰ１が形成される。上記他面の回路パターンの一部は第２の電路ＰＲ２となる部位もあるが、回路パターンＰ１は第１の電路ＰＲ１となる部位のみを意味することとする。以下では第１の電路ＰＲ１が形成されている面（図２（ａ）に示す面）を表面、第２の電路ＰＲ２および接地パターンＧが形成されている面（図２（ｂ）に示す面）を裏面と呼ぶ。なお、図２では表面と裏面とは図中の辺Ａを軸として回転させた状態で示してある。
【００２６】
図２（ａ）のように両面プリント基板１０ａの表面にはインダクタＬｒ１が表面実装され、また図２（ｂ）のように両面プリント基板１０ａの裏面にはコンデンサＣｒ１，Ｃｍ１〜Ｃｍ３が表面実装される。共振回路２を構成するインダクタＬｒ１とコンデンサＣｒ１との間の回路パターンは両面プリント基板１０ａの表裏に形成されており、スルーホールＨを通して互いに接続される。つまり、インダクタＬｒ１とコンデンサＣｒ１とはスルーホールＨを介して接続される。
【００２７】
ところで、図１（ｂ）に示すように、両面プリント基板１０ａの表面に形成された回路パターンＰ１は、両面プリント基板１０ａの裏面に形成された接地パターンＧと対向する部分を有している。つまり、回路パターンＰ１は接地パターンＰに近い位置に形成されていることになる。一方、両面プリント基板１０ａの裏面に形成した回路パターンＰ２に対応する部位における両面プリント基板１０ａの表面には接地パターンＧは形成されていない。また、回路パターンＰ２は両面プリント基板１０ａの裏面における接地パターンＧから遠い位置に形成されていることになる。
【００２８】
上述したように、本実施形態では、高周波電源回路１から共振回路２までの高調波成分が比較的多い部位では、回路パターンＰ１を接地パターンＧに近接させることにより、高調波成分に対してシールド効果を得ることができる。つまり、高周波電源回路１からの高調波ノイズが負荷回路３に達するのを抑制して外部への輻射を低減することができる。一方、共振回路２と負荷回路３とを含む高調波成分の比較的少ない部位では回路パターンＰ２を接地パターンＧから遠い位置に設けることによって、無電極放電灯に供給する電力の損失を防止することができる。
【００２９】
さらに、本実施形態では、図２（ｂ）のように、接地パターンＧにおける負荷回路４寄りの部位（図２（ｂ）の右部）は開放されているから、プリント基板における回路パターンの引き回しが容易であり、部品配置の制約が少なくなる。つまり、部品配置の設計が容易になる。
【００３０】
（実施形態２）
本実施形態は、実施形態１と同様に両面プリント基板１０ａを用いたものであるが、図３および図４に示すように、接地パターンＧを両面プリント基板１０ａの両面に形成しているものである。部品の配置は実施形態１と同様であって、両面プリント基板１０ａの表面にも裏面と略同形状の接地パターンＧ１を形成した点が実施形態１とは相違する。
【００３１】
接地パターンＧ１は、図４（ａ）に示すように、回路パターンＰ１に対応する部位では分離され、回路パターンＰ１の両側に近接する形に形成される。また、両面プリント基板１０ａの表裏の接地パターンＧ，Ｇ１は複数箇所に形成したスルーホールＨを介して接続されている。このように両接地パターンＧ，Ｇ１を多箇所で接続していることにより、両接地パターンＧ，Ｇ１に電位差が生じるのを防止している。
【００３２】
接地パターンＧ１は接地パターンＧと略同形状であるから回路パターンＰ２とは対向せず、回路パターンＰ２と接地パターンＧとの結合による大きな損失が生じないようにしてある。また、回路パターンＰ１は接地パターンＧに近接だけではなく、接地パターンＧ１にも近接しているから、全体として接地パターンＧ，Ｇ１と結合度が大きくなり、ノイズに対するシールド効果が一層高くなる。他の構成および動作は実施形態１と同様である。
【００３３】
（実施形態３）
本実施形態は、図５および図６のように、片面プリント基板１０ｂを用い、共振回路２のインダクタＬｒ１として空芯コイルを用いたものである。片面プリント基板１０ｂを用いるから、回路パターンＰ１，Ｐ２は接地パターンＧと同じ面（この面を裏面とする）に形成される。また、片面プリント基板１０ｂの表面にはインダクタＬｒ１のみが配置される。インダクタＬｒ１は表面実装ではなく裏面側において回路パターンＰ１，Ｐ２に接続される。
【００３４】
接地パターンＧは回路パターンＰ１の近傍部位では回路パターンＰ１の両側に近接しており、シールド効果を高めてある。また、回路パターンＰ２は接地パターンＧから遠い位置に形成され、損失の発生を抑制してある。
【００３５】
本実施形態では、インダクタＬｒ１として空芯コイルを用いているが、インダクタＬｒ１のみを片面プリント基板１０ｂの表面に実装してあり、しかもインダクタＬｒ１の近傍にはパターンが形成されていないから、インダクタＬｒ１からの漏れ磁束による回路への影響がなく、インダクタＬｒ１に作成の容易な空芯コイルを用いることができる。
【００３６】
（実施形態４）
本実施形態は、図７に示すように、高周波電源回路１として直列接続された２個のスイッチング素子Ｑ１，Ｑ２を出力段に備えるものを用い、両スイッチング素子Ｑ１，Ｑ２の接続点を出力端としている。また、図８および図９に示すように、スイッチング素子Ｑ１，Ｑ２と共振回路２とを両面プリント基板１０ａに実装してある。スイッチング素子Ｑ１，Ｑ２は両面プリント基板１０ａの周部に配置されており、両面プリント基板１０ａに隣接して配置した放熱体５と熱的に結合される。本実施形態では、負荷回路３は両面プリント基板１０ａとは別に設けられる。ここに、プリント基板１０ａと負荷回路３とはコネクタＣＮ１，ＣＮ２を介して接続される。本実施形態では、両面プリント基板１０ａに負荷回路３を実装していないから、共振回路２および共振回路２からコネクタＣＮ１，ＣＮ２までの部位で接地パターンを除く部位を第２の電路ＰＲ２としている。
【００３７】
両面プリント基板１０ａの裏面には第２の電路ＰＲ２となる回路パターンＰ２が形成されるとともに、接地パターンＧが形成される。また、両面プリント基板１０ａの表面に形成された回路パターンＰ１は、接地パターンＧに対向する部分を有している。本実施形態では、両面プリント基板１０ａの表面にも裏面と略同形状の接地パターンＧ１が形成される。接地パターンＧ１は、回路パターンＰ１の両側に近接し、さらにスイッチング素子Ｑ１，Ｑ２の間にも接地パターンＧ１が形成される。両面プリント基板１０ａの表裏の接地パターンＧ，Ｇ１は適宜箇所に形成されたスルーホールＨを介して接続される。また、実施形態１と同様にインダクタＬｒ１とコンデンサＣｒ１とにそれぞれ接続された回路パターンもスルーホールＨを介して接続される。
【００３８】
本実施形態の構成では両面プリント基板１０ａに負荷回路３を実装していないが、他の構成は基本的に実施形態２と同様であって、同様の効果が得られるものである。
【００３９】
（実施形態５）
本実施形態は、図１０に示すように、実施形態４の構成において、高周波電源回路１の接地端と負荷回路３の接地端との間にインピーダンス素子を挿入したものである。本実施形態では、インピーダンス素子としてコンデンサＣｇ１を用いており、高周波電源回路１の接地端からコンデンサＣｇ１までの接地線ＧＲと、コンデンサＣｇ１およびコンデンサＣｇ１からコネクタＣＮ２までの接地線ＧＲ’とに分けている。コンデンサＣｇ１は図１１および図１２に示すように、コネクタＣＮ２の近傍に配置され、接地パターンＧ１とコネクタＣＮ２との間に挿入される。
【００４０】
図１２（ｂ）に示すように、両面プリント基板１０ａの裏面には、接地線ＧＲ’になる接地パターンＧ’が形成されるとともにコンデンサＣｇ１が実装される。また、本実施形態では、接地線ＧＲにはコネクタＣＮ２が接続されないから、図１２（ａ）に示すように、両面プリント基板１０ａの表面では、スイッチング素子Ｑ２とコネクタＣＮ２とは接続されない。他の構成は実施形態４と同様である。
【００４１】
（実施形態６）
本実施形態は、図１３および図１４に示すように、図７に示した実施形態４の回路を片面プリント基板１０ｂに実装したものである。
【００４２】
図１３に示すように、スイッチング素子Ｑ１，Ｑ２は片面プリント基板１０ｂの周部に配置され、片面プリント基板１０ｂに隣接するように配置した放熱体５と熱的に結合する。図１４（ａ）に示すように、片面プリント基板１０ｂの表面には、スイッチング素子Ｑ１，Ｑ２およびインダクタＬｒ１が配置される。また、図１４（ｂ）に示すように、片面プリント基板１０ｂの裏面には、回路パターンＰ１，Ｐ２と接地パターンＧとが形成され、コンデンサＣｒ１が表面実装される。スイッチング素子Ｑ１，Ｑ２およびインダクタＬｒ１は片面プリント基板１０ｂの裏面に形成した回路パターンＰ１に接続される。
【００４３】
本実施形態における回路パターンＰ１の両側には接地パターンＧが近接するように形成され、回路パターンＰ２は接地パターンＧから遠い位置に形成される。ただし、本実施形態では回路パターンＰ２は接地パターンＧによってほぼ囲まれた形になっている。他の構成は実施形態４と同様である。
【００４４】
（実施形態７）
本実施形態は、図１５および図１６に示すように、図１（ａ）に示した回路のうちマッチング回路４を共振回路２とは別に設けた両面プリント基板１０ｃに実装し、両面プリント基板１０ｃの両面にそれぞれ接地パターンＧ２，Ｇ３を形成したものである。
【００４５】
すなわち、図１６（ａ）のように両面プリント基板１０ａの表面に接地パターンＧ２が形成され、図１６（ｂ）のように両面プリント基板１０ａの裏面に回路パターンＰ２’および接地パターンＧ３が形成されるとともに、マッチング回路４を構成するコンデンサＣｍ１〜Ｃｍ３が実装される。また、両面プリント基板１０ａにはスルーホールＨが形成され、接地パターンＧ２，Ｇ３はスルーホールＨを介して接続される。
【００４６】
本実施形態においても、両面プリント基板１０ｃの裏面に形成した回路パターンＰ２’に対応する部位において、両面プリント基板１０ｃの表面には接地パターンＧ２が形成されないから、回路パターンＰ２’を接地パターンＧ２から遠い位置に形成したことになり、回路パターンＰ２’と接地パターンＧ２，Ｇ３との近接による損失が生じない。
【００４７】
なお、上述した本発明の各実施形態では、コンデンサに面実装部品を使用することを想定しているが、コンデンサにアキシャル部品を使用してプリント基板に実装してもよい。また、無電極放電灯の電力供給経路に、安定器となる電力供給用コイルを挿入してもよい（例えば、電力供給用コイルを励起コイルＬｐ１と直列に接続する）。
【００４８】
【発明の効果】
請求項１の発明は、スイッチング素子を含む高周波電源回路から共振回路を介して負荷回路に高周波電力を供給する電源装置であって、上記共振回路はプリント基板に実装され、上記高周波電源回路の出力端から上記共振回路までの部位で接地線を除いた電路である第１の電路として用いられる回路パターンを接地線となる接地パターンに近い位置に配線し、上記共振回路と共振回路から負荷回路に向かう経路とを含む部位で接地線を除いた電路である第２の電路として用いられる回路パターンを接地パターンから遠い位置に配線し、接地パターンは、第２の電路に用いる回路パターンの両側において上記回路パターンの負荷回路が接続される一端側が開放される形に上記回路パターンに沿って延長されているものであり、高周波電源回路の出力のうち共振回路に入力されるまでの比較的高調波成分を多く含む電流が流れる第１の電路を接地線に近接させることにより、第１の電路と接地側との間でノイズのシールド効果を持たせて高周波電源回路から発生する高調波ノイズを低減させることができるという効果がある。また、第２の電路を接地線から遠い位置に設けているから、部品配置スペースを確保することができ、たとえば、プリント基板においては回路パターンの引き回しが容易になり、部品配置の設計が容易になるという利点がある。
【００４９】
請求項２の発明は、請求項１の発明において、上記共振回路が両面プリント基板に実装され、両面プリント基板の一面に形成される回路パターンが上記第１の電路に用いられ、第１の電路として用いる回路パターンは両面プリント基板の他面に形成されている接地パターンと対向する部分を有するものであり、第１の電路として用いる回路パターンを両面プリント基板の反対面側に形成した接地パターンに近接させているので、第１の電路として用いる回路パターンと接地パターンとの間でノイズのシールド効果を持たせて高周波電源回路から発生する高調波ノイズを低減させることができるという効果がある。
【００５０】
請求項３の発明は、請求項１の発明において、上記共振回路が片面プリント基板に実装され、第１の電路に用いる回路パターンの両側に近接して接地パターンが形成されているものであり、第１の電力側パターンを接地パターンの近傍に形成することにより、第１の電路として用いる回路パターンを接地パターンに近接させることができるので、第１の電路として用いる回路パターンと接地パターンとの間でノイズのシールド効果を持たせて高周波電源回路から発生する高調波ノイズを低減させることができるという効果がある。
【００５１】
請求項４の発明は、請求項１ないし請求項３の発明において、上記共振回路が、空芯コイルよりなるインダクタを含むものであり、共振回路は接地線から遠い位置に設けられているから、インダクタも接地線から遠い位置に配置することができ、作成の容易な空芯コイルを用いながらもインダクタから外部に漏れる磁束による回路への影響を低減させることができるという効果がある。
【００５２】
請求項６の発明は、請求項５の発明において、上記負荷回路が、上記無電極放電灯への電力供給経路に挿入された電力供給用コイルを含むものであり、電力供給用コイルにより、無電極放電灯のような特性の大きく変動する負荷に高周波電力を供給する場合においても、高周波電源回路の出力波形を安定させ、無電極放電灯を安定して点灯させることができるという利点がある。
【００５３】
請求項７の発明は、請求項１ないし請求項６の発明において、上記負荷回路が、上記共振回路と負荷との間に挿入されたマッチング回路を含むものであり、インピーダンスを整合させることによって、インピーダンスの不整合による高調波ノイズを低減させることができるという効果がある。
【００５４】
請求項８の発明は、請求項７の発明において、上記マッチング回路が、上記高周波電源回路とは別のプリント基板に実装されているものであり、マッチング回路を高周波電源回路と別のプリント基板に実装することにより、高周波電源回路からマッチング回路に高周波ノイズが流れ込むことを防止することができるという効果がある。
【００５５】
請求項９の発明は、請求項７または請求項８の発明において、上記マッチング回路が両面プリント基板に実装され、マッチング回路において接地線を除く回路パターンが形成されている部位における両面プリント基板の他面には接地パターンが形成されていないものであり、両面プリント基板の両面においてマッチング回路の電力側パターンを接地パターンと対向させないことにより、マッチング回路において高電位となる電力側パターンを接地パターンから離すことができるので、電力側パターンと接地パターンとが近接することによって生じる損失を低減させることができるという効果がある。
【００５６】
請求項１０の発明は、スイッチング素子を含む高周波電源回路と、高周波電源回路の出力端に接続された共振回路と、放電ガスが封入されたバルブおよびバルブの内部空間に高周波電磁界を形成する励起コイルよりなる無電極放電灯と、共振回路と励起コイルとの間に挿入されたマッチング回路とを備え、少なくとも高周波電源回路と共振回路とは両面プリント基板に実装され、両面プリント基板の一面に形成される回路パターンにより高周波電源回路と共振回路との間が接続され、この回路パターンは両面プリント基板の他面に形成された接地パターンと対向する部分を有し、接地パターンは、上記共振回路から励起コイルに向かう経路を含む部位で接地線を除いた電路に用いる回路パターンの両側において上記回路パターンの励起コイルが接続される一端側が開放される形に上記回路パターンに沿って延長されているものであり、両面プリント基板の両面において第１の電路となる回路パターンを接地パターンと対向させることにより、第１の電路となる回路パターンを接地パターンに近接させるので、第１の電路となる回路パターンと接地パターンとの間でシールド効果を持たせて高周波電源回路から発生する高調波ノイズを低減させることができるという効果がある。また、第２の電路となる回路パターンは接地パターンから遠い位置に形成されているから、両面プリント基板における回路パターンの引き回しが簡単になり、部品配置の設計が容易になるという利点がある。さらにまた、共振回路とマッチング回路とによっても高調波ノイズを低減させることができるので、無電極放電灯のような特性の大きく変動する負荷に高周波電力を供給する場合においても、高周波電源回路の出力波形を安定させ、無電極放電灯を安定して点灯させることができるという利点がある。
【図面の簡単な説明】
【図１】（ａ）は本発明の実施形態１の回路図であり、（ｂ）は同上のプリント基板を表面側から裏面部品まで示す平面図である。
【図２】（ａ）は同上のプリント基板の表面図、（ｂ）は同上の裏面図である。
【図３】本発明の実施形態２のプリント基板を表面側から裏面部品まで示す平面図である。
【図４】（ａ）は同上の表面図、（ｂ）は同上の裏面図である。
【図５】本発明の実施形態３のプリント基板を表面側から裏面部品まで示す平面図である。
【図６】（ａ）は同上の表面図、（ｂ）は同上の裏面図である。
【図７】本発明の実施形態４の回路図である。
【図８】同上のプリント基板を表面側から裏面部品まで示す平面図である。
【図９】（ａ）は同上の表面図、（ｂ）は同上の裏面図である。
【図１０】本発明の実施形態５の回路図である。
【図１１】同上のプリント基板を表面側から裏面部品まで示す平面図である。
【図１２】（ａ）は同上の表面図、（ｂ）は同上の裏面図である。
【図１３】本発明の実施形態６のプリント基板を表面側から裏面部品まで示す平面図である。
【図１４】（ａ）は同上の表面図、（ｂ）は同上の裏面図である。
【図１５】本発明の実施形態７のプリント基板を表面側から裏面部品まで示す平面図である。
【図１６】（ａ）は同上の表面図、（ｂ）は同上の裏面図である。
【図１７】従来例の回路図である。
【図１８】同上のプリント基板を示す平面図である。
【符号の説明】
１  高周波電源回路
２  共振回路
３  負荷回路
４  マッチング回路
１０ａ  両面プリント基板
１０ｂ  片面プリント基板
Ｃｒ１，Ｃｍ１〜Ｃｍ３  コンデンサ
Ｇ，Ｇ１，Ｇ’  接地パターン
ＧＲ，ＧＲ’  接地線
ＬＰ  バルブ
Ｌｐ１  励起コイル
Ｌｒ１  インダクタ
Ｐ１，Ｐ２，Ｐ２’  回路パターン
ＰＲ１，ＰＲ２  電路
Ｑ１，Ｑ２  スイッチング素子
【図１】
0003684907.tif 000002
【図２】
0003684907.tif 000003
【図３】
0003684907.tif 000004
【図４】
0003684907.tif 000005
【図５】
0003684907.tif 000006
【図６】
0003684907.tif 000007
【図７】
0003684907.tif 000008
【図８】
0003684907.tif 000009
【図９】
0003684907.tif 000010
【図１０】
0003684907.tif 000011
【図１１】
0003684907.tif 000012
【図１２】
0003684907.tif 000013
【図１３】
0003684907.tif 000014
【図１４】
0003684907.tif 000015
【図１５】
0003684907.tif 000016
【図１６】
0003684907.tif 000017
【図１７】
0003684907.tif 000018
【図１８】
0003684907.tif 000019